(57)【要約】      （修正有）【課題】ベッドから自力で起き上がるのが困難な被介護者を介護する介護者の負担を軽減できる介護用ベッドを提供する。【解決手段】介護用ベッド１００は、マット部２と、マット部２を支える支持構造体である本体部１と、マット部２の上で横になる被介護者の臀部を持ち上げるためのリフト部３と、を備える。そして、マット部２が、臀部および頭側のマットパーツ２１、２２と、これから分離可能に構成された足側のマットパーツ２３と、を備え、足側のマットパーツ２３が分離されることでオプションユニットＯＰ１、ＯＰ２、ＯＰ３が現れるように構成されている。【選択図】図５
0003223004.tif 000002
【実用新案登録請求の範囲】
【請求項１】
マット部と、
前記マット部を支える支持構造体である本体部と、
前記マット部の上で横になる被介護者の臀部を持ち上げるためのリフト部と、
を備え、
前記マット部が、
臀部および頭側のマットパーツと、
これから分離可能に構成された足側のマットパーツと、
を備え、
前記足側のマットパーツが分離されることでオプションユニットが現れるように構成されている、
ことを特徴とする、介護用ベッド。
【請求項２】
請求項１に記載の介護用ベッドであって、
前記オプションユニットとして、車いすユニットを備え、
臀部側のマットパーツが、前記車いすユニットの座部を構成し、
前記リフト部によって持ち上げられていた被介護者の臀部が、前記リフト部によって下ろされることによって、前記被介護者が前記座部に座った状態になるように構成されている、
ことを特徴とする、介護用ベッド。
【請求項３】
請求項１または２に記載の介護用ベッドであって、
前記オプションユニットとして、トイレユニットを備え、
臀部側のマットパーツが、前記トイレユニットの便座部を構成し、
前記リフト部によって持ち上げられていた被介護者の臀部が、前記リフト部によって下ろされることによって、前記被介護者が前記便座部に座った状態になるように構成されている、
ことを特徴とする、介護用ベッド。
【請求項４】
請求項１から３のいずれかに記載の介護用ベッドであって、
前記オプションユニットとして、バスユニットを備え、
前記本体部の少なくとも一部が、前記バスユニットの浴槽の少なくとも一部を構成し、
前記リフト部によって持ち上げられていた被介護者の臀部が、前記リフト部によって下ろされることによって、前記被介護者が前記浴槽の内部に導入されるように構成されている、
ことを特徴とする、介護用ベッド。
【請求項５】
請求項１に記載の介護用ベッドであって、
前記オプションユニットとして、車いすユニットと、トイレユニットと、を備え、
臀部側のマットパーツが、前記車いすユニットの座部を構成するとともに、前記トイレユニットの便座部を構成し、
前記リフト部によって持ち上げられていた被介護者の臀部が、前記リフト部によって下ろされることによって、前記被介護者が前記座部あるいは前記便座部に座った状態になるように構成されている、
ことを特徴とする、介護用ベッド。
【請求項６】
請求項５に記載の介護用ベッドであって、
前記オプションユニットとして、バスユニットをさらに備え、
前記本体部の少なくとも一部が、前記バスユニットの浴槽の少なくとも一部を構成し、
前記車いすユニットおよび前記トイレユニットが、前記浴槽の内部に相当する空間に収容されており、
前記車いすユニットおよび前記トイレユニットが該空間から搬出されている状態で、前記リフト部によって持ち上げられていた被介護者の臀部が、前記リフト部によって下ろされることによって、前記被介護者が前記浴槽の内部に導入されるように構成されている、
ことを特徴とする、介護用ベッド。
【請求項７】
請求項２または５に記載の介護用ベッドであって、
前記臀部側のマットパーツが、
中央パーツ部分と、
その両側に回転自在に連結された一対の横パーツ部分と、
を備え、
前記中央パーツ部分が、前記座部を構成し、
前記一対の横パーツ部分の各々が、前記中央パーツ部分に対して立ち上げられた姿勢で固定されることにより、前記中央パーツ部分に着座している着座者の肘置きが形成される、
ことを特徴とする、介護用ベッド。
【請求項８】
請求項７に記載の介護用ベッドであって、
前記中央パーツ部分の下方に設けられた箱状の脚体部、
を備え、
前記脚体部の後面を構成する後板が、上辺において回転自在に連結されており、前記後板が、前記中央パーツ部分に対して立ち上げられた姿勢で固定されることにより、前記中央パーツ部分に着座している着座者の背凭れが形成される、
ことを特徴とする、介護用ベッド。
【請求項９】
請求項４または６に記載の介護用ベッドであって、
前記バスユニットが、
長尺の板状部材であって、前記浴槽の底面に設けられた、導入板、
を備え、
前記導入板が、一端を前記底面に当接させつつ他端を前記リフト部によって持ち上げられている状態で、被介護者が前記導入板の前記他端側に跨がって座った状態とされ、この状態から前記リフト部によって前記導入板の前記他端が下ろされることで、前記被介護者が前記浴槽内に座った状態になるように構成されている、
ことを特徴とする、介護用ベッド。
【考案の詳細な説明】
【技術分野】
【０００１】
本考案は、介護用ベッドに関する。
【背景技術】
【０００２】
ベッドから自力で起き上がって歩行するのが困難な被介護者に対して、例えば排泄介助を行う場合、介護者は、ベッドで横になっている被介護者を抱き起こし、抱き上げて、トイレまで運んで、その便座に座らせなければならない。また例えば、このような被介護者に対して車いすへの移乗介助を行う場合、介護者は、やはり、ベッドで横になっている被介護者を抱き起こし、抱き上げて、車いすのところにまで運んで、その座面に座らせなければならない。同様に、このような被介護者に対して入浴介助を行う場合も、介護者は、ベッドで横になっている被介護者を抱き起こし、抱き上げて、お風呂まで運んで、その浴槽内に座らせなければならない。
【０００３】
いずれの介助も、介護者にとっての負担は大きい。また、負担が大きいがゆえに介護者がこれらの介助に対して消極的になると、被介護者の自立が妨げられたり、被介護者の尊厳が傷つけられたりする虞がある。
【０００４】
例えば特許文献１では、ベッドから車いすへの移乗介助の負担を軽減するべく、一部を車いすとして分離できるベッドが提案されている。ここに開示されているベッドは、左右の片半分が他方から分離可能に構成されており、分離されたベッドの片半分を、車いすに変形できるようになっている。このベッドを車いすとして使用する場合、介護者は、まず、ベッドで横になっている被介護者を、ベッドの片半分に寄せてここで仰向けにならせる。そして、被介護者が横になっているベッドの片半分を、他方の片半分から分離させるとともに車いす姿勢に変形させる。これによって、被介護者が車いすに乗った状態となる。
【先行技術文献】
【特許文献】
【０００５】
【特許文献１】特開２０１２−６１２００号公報
【考案の概要】
【考案が解決しようとする課題】
【０００６】
特許文献１の構成によると、介護者は、ベッドで横になっている被介護者を抱き上げて車いすの座面に移乗させる必要がないので、移乗介助の負担がある程度は軽減される。しかしながら、ベッドの真ん中で横になっている被介護者をベッドの左半分に寄せてここで仰向けにならせるためには、介護者は、前かがみの姿勢で被介護者を抱きかかえて身体の位置をずらさなければならず、介護者の腰等に大きな負担がかかってしまう。また、ここでは、ベッドの片半分がそのまま車いすを構成する。このような車いすは、当然、通常の車いすに比べて大きく重い。したがって、このような車いすで気軽に外出することは難しい。また、いうまでもなく、特許文献１の構成では、排泄介助や入浴介助に係る介護者の負担を軽減することはできない。
【０００７】
このように、特許文献１の技術は、ベッドから自力で起き上がるのが困難な被介護者を介護する介護者の負担を十分に軽減できるものとはいえず、さらなる技術が必要とされている。
【０００８】
本考案は、上記の課題に鑑みてなされたものであり、ベッドから自力で起き上がるのが困難な被介護者を介護する介護者の負担を軽減できる技術の提供を目的としている。
【課題を解決するための手段】
【０００９】
本考案は、かかる目的を達成するために、次のような手段を講じたものである。
【００１０】
本考案に係る介護用ベッドは、
マット部と、
前記マット部を支える支持構造体である本体部と、
前記マット部の上で横になる被介護者の臀部を持ち上げるためのリフト部と、
を備え、
前記マット部が、
臀部および頭側のマットパーツと、
これから分離可能に構成された足側のマットパーツと、
を備え、
前記足側のマットパーツが分離されることでオプションユニットが現れるように構成されている、
ことを特徴とする。
【００１１】
この構成によると、マット部の上で横になっている被介護者の臀部をリフト部によって持ち上げ、この状態で介護者が足側のマットパーツを取り去ると、オプションユニットが現れる。そうして、リフト部を用いて被介護者の臀部を下ろして（あるいは、リフト部によって被介護者の臀部が持ち上げられた状態のまま）、オプションユニットを用いて必要な介助を行うことができる。このときに、介護者は、マット部の上で横になっている被介護者を抱きかかえて持ち上げる必要がないので、介護者の負担が軽減される。
【００１２】
好ましくは、前記介護用ベッドにおいて、
前記オプションユニットとして、車いすユニットを備え、
臀部側のマットパーツが、前記車いすユニットの座部を構成し、
前記リフト部によって持ち上げられていた被介護者の臀部が、前記リフト部によって下ろされることによって、前記被介護者が前記座部に座った状態になるように構成されている、
ことを特徴とする。
【００１３】
この構成によると、リフト部を用いて被介護者の臀部を持ち上げ、足側のマットパーツを取り去ってから、再びリフト部を用いて被介護者の臀部を下ろすと、被介護者は車いすユニットの座部に座った状態となり、そのまま車いす移動することができる。したがって、移乗介助にかかる負担が低減される。
【００１４】
好ましくは、前記介護用ベッドにおいて、
前記オプションユニットとして、トイレユニットを備え、
臀部側のマットパーツが、前記トイレユニットの便座部を構成し、
前記リフト部によって持ち上げられていた被介護者の臀部が、前記リフト部によって下ろされることによって、前記被介護者が前記便座部に座った状態になるように構成されている、
ことを特徴とする。
【００１５】
この構成によると、リフト部を用いて被介護者の臀部を持ち上げ、足側のマットパーツを取り去ってから、再びリフト部を用いて被介護者の臀部を下ろすと、被介護者はトイレユニットの便座に座った状態となり、そのまま用を足すことができる。したがって、排泄介助にかかる負担が低減される。
【００１６】
好ましくは、前記介護用ベッドにおいて、
前記オプションユニットとして、バスユニットを備え、
前記本体部の少なくとも一部が、前記バスユニットの浴槽の少なくとも一部を構成し、
前記リフト部によって持ち上げられていた被介護者の臀部が、前記リフト部によって下ろされることによって、前記被介護者が前記浴槽の内部に導入されるように構成されている、
ことを特徴とする。
【００１７】
この構成によると、リフト部を用いて被介護者の臀部を持ち上げ、足側のマットパーツを取り去ってから、再びリフト部を用いて被介護者の臀部を下ろすと、被介護者はバスユニットの浴槽の内部に導入され、ここで入浴することができる。したがって、入浴介助にかかる負担が低減される。
【００１８】
好ましくは、前記介護用ベッドにおいて、
前記オプションユニットとして、車いすユニットと、トイレユニットと、を備え、
臀部側のマットパーツが、前記車いすユニットの座部を構成するとともに、前記トイレユニットの便座部を構成し、
前記リフト部によって持ち上げられていた被介護者の臀部が、前記リフト部によって下ろされることによって、前記被介護者が前記座部あるいは前記便座部に座った状態になるように構成されている、
ことを特徴とする。
【００１９】
この構成によると、リフト部を用いて被介護者の臀部を持ち上げ、足側のマットパーツを取り去ってから、再びリフト部を用いて被介護者の臀部を下ろすと、被介護者は車いすユニットの座部あるいはトイレユニットの便座部に座った状態となる。したがって、移乗介助にかかる負担と排泄介助にかかる負担の両方が低減される。特にここでは、臀部側のマットパーツが、車いすユニットの座部を構成するとともに、トイレユニットの便座部を構成するので、構造が簡素化されるとともに部品点数が抑えられる。
【００２０】
好ましくは、前記介護用ベッドにおいて、
前記オプションユニットとして、バスユニットをさらに備え、
前記本体部の少なくとも一部が、前記バスユニットの浴槽の少なくとも一部を構成し、
前記車いすユニットおよび前記トイレユニットが、前記浴槽の内部に相当する空間に収容されており、
前記車いすユニットおよび前記トイレユニットが該空間から搬出されている状態で、前記リフト部によって持ち上げられていた被介護者の臀部が、前記リフト部によって下ろされることによって、前記被介護者が前記浴槽の内部に導入されるように構成されている、
ことを特徴とする。
【００２１】
この構成によると、リフト部を用いて被介護者の臀部を持ち上げ、足側のマットパーツを取り去るとともに、車いすユニットおよびトイレユニットを浴槽の内部から搬出してから、再びリフト部を用いて被介護者の臀部を下ろすと、被介護者はバスユニットの浴槽の内部に導入される。したがって、移乗介助にかかる負担および排泄介助にかかる負担に加え、入浴介助にかかる負担も低減される。特にここでは、車いすユニットおよびトイレユニットが、浴槽の内部に収容されているので、スペース効率を有効に利用して複数種類のオプションユニットを配置することができる。
【００２２】
好ましくは、前記介護用ベッドにおいて、
前記臀部側のマットパーツが、
中央パーツ部分と、
その両側に回転自在に連結された一対の横パーツ部分と、
を備え、
前記中央パーツ部分が、前記座部を構成し、
前記一対の横パーツ部分の各々が、前記中央パーツ部分に対して立ち上げられた姿勢で固定されることにより、前記中央パーツ部分に着座している着座者の肘置きが形成される、
ことを特徴とする。
【００２３】
この構成によると、被介護者は、車いすユニットの座部に座った際に、肘を肘置きに乗せることで、安全かつ快適な使用感を得ることができる。
【００２４】
好ましくは、前記介護用ベッドにおいて、
前記中央パーツ部分の下方に設けられた箱状の脚体部、
を備え、
前記脚体部の後面を構成する後板が、上辺において回転自在に連結されており、前記後板が、前記中央パーツ部分に対して立ち上げられた姿勢で固定されることにより、前記中央パーツ部分に着座している着座者の背凭れが形成される、
ことを特徴とする。
【００２５】
この構成によると、被介護者は、車いすユニットの座部に座った際に、背凭れに背をあずけることで、安全かつ快適な使用感を得ることができる。
【００２６】
好ましくは、前記介護用ベッドにおいて、
前記バスユニットが、
長尺の板状部材であって、前記浴槽の底面に設けられた、導入板、
を備え、
前記導入板が、一端を前記底面に当接させつつ他端を前記リフト部によって持ち上げられている状態で、被介護者が前記導入板の前記他端側に跨がって座った状態とされ、この状態から前記リフト部によって前記導入板の前記他端が下ろされることで、前記被介護者が前記浴槽内に座った状態になるように構成されている、
ことを特徴とする。
【００２７】
この構成によると、リフト部を用いて導入板の端部を持ち上げ、被介護者をここに跨がるように座らせてから、再びリフト部を用いて導入板の端部を下ろすと、被介護者は浴槽内に座った状態となり、そのまま入浴することができる。したがって、入浴介助にかかる負担が特に有効に低減される。
【考案の効果】
【００２８】
本考案によると、ベッドから自力で起き上がるのが困難な被介護者を介護する介護者の負担を軽減することができる。
【図面の簡単な説明】
【００２９】
【図１】介護用ベッドの全体構成を模式的に示す図。
【図２】本体部の構成を模式的に示す図。
【図３】マット部の構成を説明するための図。
【図４】被介護者の臀部を持ち上げる態様を説明するための図。
【図５】足側中央パーツ部分を取り外す態様を説明するための図。
【図６】車いすユニットに係る構成を抽出して示す図（ａ）、および、その分解図（ｂ）。
【図７】車いすユニットの組立ての途中段階を示す図（ａ）、および、組立てが完了した状態を示す図。
【図８】車いすユニットの使用の態様を説明するための図。
【図９】車いすユニットの使用の態様を説明するための図。
【図１０】車いすユニットの使用の態様を説明するための図。
【図１１】介護用ベッドが備える要素のうち、トイレユニットに係る構成を抽出して示す図。
【図１２】トイレユニットの使用の態様を説明するための図。
【図１３】トイレユニットの使用の態様を説明するための図。
【図１４】バスユニットとしての使用状態を示す図。
【図１５】図１５の一部を切り欠いて示す図。
【図１６】バスユニットの使用の態様を説明するための図。
【図１７】バスユニットの使用の態様を説明するための図。
【図１８】バスユニットの使用の態様を説明するための図。
【図１９】バスユニットの使用の態様を説明するための図。
【図２０】被介護者のおむつ交換を行う態様を説明するための図。
【図２１】変形例に係る導入板の構成を示す図。
【図２２】変形例に係る導入板の構成を示す図。
【図２３】変形例に係る導入板を用いて被介護者を浴槽内に導入する態様を説明するための図。
【図２４】変形例に係る導入板を用いて被介護者を浴槽内に導入する態様を説明するための図。
【図２５】変形例に係る導入板を用いて被介護者を浴槽内に導入する態様を説明するための図。
【図２６】変形例に係る導入板を用いて被介護者を浴槽内に導入する態様を説明するための図。
【図２７】変形例に係る導入板を用いて被介護者を浴槽内に導入する態様を説明するための図。
【図２８】変形例に係る導入板を用いて被介護者を浴槽内に導入する態様を説明するための図。
【図２９】変形例に係る導入板を用いて被介護者を浴槽内に導入する態様を説明するための図。
【考案を実施するための形態】
【００３０】
以下、本考案の好適な実施形態を、図面を参照しつつ説明する。
【００３１】
＜１．全体構成＞
実施形態に係る介護用ベッドの構成について、図１〜図４を参照しつつ説明する。図１は、介護用ベッド１００の全体構成を模式的に示す図である。図２は、本体部１の構成を模式的に示す図である。図３は、マット部２の構成を説明するための図である。図４は、被介護者Ｐの臀部を持ち上げる態様を説明するための図である。
【００３２】
以下の説明において、介護用ベッド１００の上で横になる被介護者Ｐの足側を、介護用ベッド１００の「前方」と呼び、被介護者Ｐの頭側を、介護用ベッド１００の「後方」と呼ぶ。また、前後方向と直交する水平方向を「左右方向」と呼ぶ。
【００３３】
介護用ベッド１００は、本体部１と、本体部１の上に配置されたマット部２と、マット部２の上で横になる被介護者Ｐの臀部を持ち上げるためのリフト部３と、を備える。
【００３４】
（本体部１）
本体部１は、マット部２およびその上で横になる被介護者Ｐを支える支持構造体である。図２に示されるように、本体部１は、上面が開口した箱状の躯体部１１と、前方側に配置された直方体状の前ブロック体１２とに分離可能に構成されている。
【００３５】
躯体部１１は、平面視長方形状の底板１１１と、その後辺および左右辺から立設された３方を囲む側壁１１２と、底板１１１の面内から立設された複数の仕切り板（第１仕切り板１１３、および、一対の第２仕切り板１１４，１１４）と、を備える。
【００３６】
第１仕切り板１１３は、躯体部１１を前後に区画する仕切りであり、マット部２に一般的な体格の被介護者Ｐが横になったときに、その腰部に相当する位置を想定した境界線（第１境界線）Ｄ１に相当する位置に設けられる。一方、一対の第２仕切り板１１４，１１４は、第１仕切り板１１３によって区画される前方の空間を左右に３分割する仕切りであり、中央の空間の左右幅が、左右側の各空間の左右幅の２倍程度となるような位置に、設けられる。各第２仕切り板１１４と側壁１１２との間の空間は、蓋板１１５および前板１１６によって塞がれている。
【００３７】
（マット部２）
マット部２は、この上で横になる被介護者Ｐを支える部分であり、本体部１の上に、これを覆うように配置される。図３に示されるように、マット部２は、互いに分離可能に構成された複数のマットパーツ（頭側マットパーツ２１、臀部側マットパーツ２２、および、足側マットパーツ２３）を備える。
【００３８】
各マットパーツ２１，２２，２３はいずれも平面視矩形状であり、強度のあるベース板上に、弾力性のあるクッション部材が配設された構成を有している。
【００３９】
頭側マットパーツ２１は、第１境界線Ｄ１の後方に配置され、臀部側マットパーツ２２は、第１境界線Ｄ１と第２境界線Ｄ２の間に配置され、足側マットパーツ２３は、第２境界線Ｄ１の前方に配置される。ただし、第２境界線Ｄ２とは、マット部２に一般的な体格の被介護者Ｐが横になったときに、その太ももの付け根付近に相当する位置を想定した境界線である。つまり、頭側マットパーツ２１は、主として被介護者Ｐの上半身（腰部より上側の部分）を支えるものであり、臀部側マットパーツ２２は、主として被介護者Ｐの臀部（腰部より下側であって太ももの付け根よりも上側の部分）およびその近傍を支えるものであり、足側マットパーツ２３は、主として被介護者Ｐの足（太ももの付け根よりも下側の部分）を支えるものである。
【００４０】
頭側マットパーツ２１は、第１仕切り板１１３および側壁１１２によって四辺を下方から支持されている。また、頭側マットパーツ２１は、その前辺において、第１仕切り板１１３に対してヒンジ構造を介して回転自在に連結されており、このヒンジ構造を介して回転されることにより、略水平に横たわった姿勢（図１）と、後端に近づくにつれて上方に向かう傾斜姿勢（図４）と、をとることができる。
【００４１】
臀部側マットパーツ２２は、左右側の両端部付近において、蓋板１１５によって下方から支持される。また、臀部側マットパーツ２２は、中央に配置されるパーツ部分（臀部側中央パーツ部分）２２１と、その左あるいは右に配置されるパーツ部分（臀部側横パーツ部分）２２２と、に３分割されている。
【００４２】
臀部側中央パーツ部分２２１および各臀部側横パーツ部分２２２は、いずれも平面視矩形状であり、臀部側中央パーツ部分２２１の左右幅は、一般的な体格の被介護者Ｐの臀部の幅に所定の余裕幅を見積もった寸法とされている。また、各臀部側横パーツ部分２２２は、臀部側中央パーツ部分２２１に対してヒンジ構造を介して回転自在に連結されており、このヒンジ構造を介して回転されることにより、臀部側中央パーツ部分２２１と平行となって略水平に横たわった姿勢（図１）と、臀部側中央パーツ部分２２１に対して立ち上がった姿勢（図９等）と、をとることができる。
【００４３】
足側マットパーツ２３は、一対の第２仕切り板１１４，１１４に相当する位置において、中央に配置されるパーツ部分（足側中央パーツ部分）２３１と、その左あるいは右に配置されるパーツ部分（足側横パーツ部分）２３２とに３分割されている。
【００４４】
足側中央パーツ部分２３１および各足側横パーツ部分２３２は、いずれも平面視矩形状であり、互いに分離可能に構成されている。足側中央パーツ部分２３１は、左右側の両端部付近において、一対の第２仕切り板１１４，１１４によって下方から支持される。一方、各足側横パーツ部分２３２は、蓋板１１５上に載置されてこれに支持される。各足側横パーツ部分２３２は、足側中央パーツ部分２３１側の辺において、蓋板１１５に対してヒンジ構造を介して回転自在に連結されており、このヒンジ構造を介して回転されることにより、略水平に横たわった姿勢（図１）と、左右方向の外側に近づくにつれて上方に向かう傾斜姿勢（図１４等）と、をとることができる。
【００４５】
（リフト部３）
リフト部３は、対象物の上げ下ろしを行うための機構であり、門型の支持枠３１と、これに設けられたウインチ機構３２とを備える。
【００４６】
支持枠３１は、左右方向に本体部１を挟むようにして立設された一対の支柱部３１１，３１１と、一対の支柱部３１１，３１１の上端の間に架け渡された梁部３１２とを備える。支持枠３１は、第２境界線Ｄ２よりも後方、好ましくは、第１境界線Ｄ１の近傍に配置される。
【００４７】
ウインチ機構３２は、吊りワイヤー３２１の巻き取りおよび繰り出しを、回転ハンドル３２２の操作に応じて行う機構である。ここでは、回転ハンドル３２２は、一方の支柱部３１１に設けられており、吊りワイヤー３２１は、該支柱部３１１から梁部３１２の内部（あるいは側面）を伝わされて、梁部３１２の略中央から下方に垂下される。吊りワイヤー３２１の該垂下された端部には、バー部材３２３が連結される。バー部材３２３は、強度のある棒状の芯部材と、その周囲に巻回された弾力性のあるクッション状の部材とを備えており、軸方向の中央において、吊りワイヤー３２１と連結される。
【００４８】
このような構成のリフト部３を用いて、マット部２に横になっている被介護者Ｐの臀部を持ち上げたり、下ろしたりすることができる。すなわち、被介護者Ｐの臀部を持ち上げたい場合、マット部２に横になっている被介護者Ｐの足の間からバー部材３２３を差し入れて、左右の各膝窩（膝関節の後側の部分）の下方に、バー部材３２３の右側部分と左側部分とをそれぞれ配置する。この状態で回転ハンドル３２２を回して吊りワイヤー３２１を巻き取る。こうすると、バー部材３２３が梁部３１２に向けて斜め方向に上昇し、被介護者Ｐは、両膝窩がバー部材３２３に引っ掛かった状態で膝を斜め後ろ方向に持ち上げられることとなり、背中をマット部２につけたまま、臀部および足部だけがマット部２から浮き上がる（図４）。再び回転ハンドル３２２を回して吊りワイヤー３２１を繰り出せば、持ち上げられている被介護者Ｐの臀部がマット部２に下ろされる。
【００４９】
このように、介護者は、リフト部３を用いることで、マット部２に横になっている被介護者Ｐの臀部を難なく持ち上げたり下ろしたりすることが可能であり、例えば、リフト部３を用いて被介護者Ｐの臀部を持ち上げて、被介護者Ｐのおむつ交換を簡単に行うことができる。特にここでは、バー部材３２３が、軸方向の中央において吊りワイヤー３２１と連結されているので、被介護者Ｐの足の間からバー部材３２３を差し込んで、その両端部分を簡単に膝窩に引っ掛けることができる。さらに、ここでは、支持枠３１が、第２境界線Ｄ２よりも後方に配置されているため、被介護者Ｐの膝が真上に持ち上げられるのではなく、頭の側に近づきながら持ち上げられる。したがって、被介護者Ｐは身体を丸められながら自然に臀部を持ち上げられることとなり、不快感を覚えにくい。
【００５０】
＜２．オプションユニット＞
上記の通り、介護用ベッド１００が備えるマット部２は、分離可能な複数のマットパーツ２１，２２，２３から構成されており、足側マットパーツ２３の足側中央パーツ部分２３１だけを、分離して取り外すことができる。ここで、介護用ベッド１００では、足側中央パーツ部分２３１が分離されて取り外されると、各種のオプションユニット（具体的には、車いすユニットＯＰ１、トイレユニットＯＰ２、および、バスユニットＯＰ３）が現れる。したがって、足側中央パーツ部分２３１を取り外すことで、これらのオプションユニットＯＰ１〜ＯＰ３の使用が可能となる。
【００５１】
ここで、足側中央パーツ部分２３１を取り外す態様について、図５を参照しながら説明する。足側中央パーツ部分２３１を取り外すにあたって、介護者は、まず、本体部１の前ブロック体１２を取り外す。そして、足側中央パーツ部分２３１を前方に引っ張り出す。足側中央パーツ部分２３１の下方の四隅には、下端にキャスター４１１が連結された脚４１が設けられており、足側中央パーツ部分２３１と４本の脚４１によって、台車４０が構成されている。したがって、介護者は小さな負荷で足側中央パーツ部分２３１を引っ張り出すことができる。また例えば、マット部２の上に、布団、毛布、タオル、等が敷かれている場合、これらを折り畳む等して足側中央パーツ部分２３１の上にかためて載せておけば、足側中央パーツ部分２３１を前方に引っ張り出すのと同時に、これらの布団等をマット部２上から難なく運び出すことができる。
【００５２】
次に、各種のオプションユニットＯＰ１〜ＯＰ３の構成およびその使用態様について、具体的に説明する。
【００５３】
＜２−１．車いすユニットＯＰ１＞
車いすユニットＯＰ１の構成について、図６、図７を参照しながら説明する。図６（ａ）は、介護用ベッド１００が備える要素のうち、車いすユニットＯＰ１に係る構成を抽出して示す図であり、図６（ｂ）は、図６（ａ）を分解して示す図である。また、図７（ａ）は、車いすユニットＯＰ１の組立ての途中段階を示す図であり、図７（ｂ）は、車いすユニットＯＰ１の組立てが完了した状態を示す図である。
【００５４】
車いすユニットＯＰ１は、臀部側マットパーツ２２とその下方に設けられた脚体部５０により構成される。
【００５５】
脚体部５０は、臀部側中央パーツ部分２２１の下方に設けられた箱状の部材であり、底板５１と、その左右辺のそれぞれに沿って立設された一対の横板５２，５２と、一対の横板５２，５２の前側に設けられた前板５３と、一対の横板５２，５２の後側に設けられた後板５４と、を備える。また、脚体部５０は、底板５１の下面側の四隅の各々に設けられたキャスター５５を備える。
【００５６】
臀部側中央パーツ部分２２１は、脚体部５０の上部にその開口を塞ぐように載置されて、脚体部５０に対して固定される。この臀部側中央パーツ部分２２１が、車いすユニットＯＰ１の座部を構成する。つまり、臀部側中央パーツ部分２２１は、マット部２としての役割に加えて、車いすユニットＯＰ１の座部としての役割をも担っている。
【００５７】
一方、各臀部側横パーツ部分２２２は、上記の通り、臀部側中央パーツ部分２２１に対してヒンジ構造を介して回転自在に連結されており、このヒンジ構造を介して回転されることにより、臀部側中央パーツ部分２２１と平行となって略水平に横たわった姿勢（図６（ａ））と、臀部側中央パーツ部分２２１に対して立ち上がった姿勢（図７（ａ））と、をとることができる。各臀部側横パーツ部分２２２が立ち上がった姿勢とされることにより、車いすユニットＯＰ１の肘置きが形成される。つまり、各臀部側横パーツ部分２２２は、マット部２としての役割に加えて、車いすユニットＯＰ１の肘置きとしての役割をも担っている。
【００５８】
各臀部側横パーツ部分２２２の裏面側には、両端が折れ曲がった棒部材６０の両端を挿通させるための挿通部材２２２１が設けられている。各臀部側横パーツ部分２２２が立ち上がった姿勢とされた状態において、これらの間に架け渡すように棒部材６０を配設し、その両端を挿通部材２２２１に挿通すると、この棒部材６０によって、一対の臀部側横パーツ部分２２２，２２２が立ち上がった姿勢で固定される（図７（ｂ））。この棒部材６０により、車いすユニットＯＰ１の手すりが形成される。つまり、棒部材６０は、臀部側横パーツ部分２２２を立ち上がった姿勢に固定する役割を担うとともに、車いすユニットＯＰ１の手すりとしての役割をも担っている。
【００５９】
脚体部５０の底板５１は、略矩形の平板部材である。底板５１は、左右の寸法が臀部側中央パーツ部分２２１と略同一であり、前後の寸法が臀部側中央パーツ部分２２１よりも大きく、上方から見て、前端付近が臀部側中央パーツ部分２２１の前側に張り出すようにして設けられる。この張り出した部分５１１により、車いすユニットＯＰ１の足置きが形成される。
【００６０】
各横板５２は、脚体部５０の左右面を構成する略矩形の平板部材であり、下端が、底板５１の左辺（あるいは、右辺）に沿って固定され、上端が、臀部側中央パーツ部分２２１の下面における左辺（あるいは、右辺）に沿って固定される。
【００６１】
前板５３は、脚体部５０の前面を構成する略矩形の平板部材であり、その下端において、底板５１に対してヒンジ構造を介して回転自在に連結されており、このヒンジ構造を介して回転されることにより、底板５１と略直角をなしつつ立ち上がった姿勢（図７（ａ））と、ここから傾斜姿勢（図７（ｂ））を経て底板５１と略水平をなすようにして横たわった姿勢（図１１（ｂ））と、をとることができる。また、前板５３と臀部側中央パーツ部分２２１の前側面には、それぞれ被係止部材５３１と係止部材２２１１とが設けられており、係止部材２２１１が被係止部材５３１に引っ掛かった状態とされることによって、前板５３が立ち上がった姿勢に固定されるようになっている。
【００６２】
後板５４は、脚体部５０の後面を構成する略矩形の平板部材であり、その上辺において、一対の横板５２，５２の上端部分に対してヒンジ構造を介して回転自在に連結されており、このヒンジ構造を介して回転されることにより、臀部側中央パーツ部分２２１と略直角をなすようにしてその後辺から垂れ下がった姿勢（図７（ａ））と、ここから略１８０度回転して、臀部側中央パーツ部分２２１と略直角をなすようにしてその後辺から立ち上がった姿勢（図７（ｂ））と、をとることができる。後板５４が立ち上がった姿勢とされることにより、車いすユニットＯＰ１の背凭れが形成される。
【００６３】
次に、車いすユニットＯＰ１の使用の態様について、図６、図７に加え、図８〜図１０を参照しながら説明する。図８〜図１０は、車いすユニットＯＰ１の使用の態様を説明するための図である。
【００６４】
車いすユニットＯＰ１を使用するにあたって、介護者は、まず、マット部２の上で横になっている被介護者Ｐの臀部をリフト部３によって持ち上げる。そして、本体部１の前ブロック体１２を取り外すとともに、足側中央パーツ部分２３１を前方に引っ張り出してこれを取り外す（図５）。足側中央パーツ部分２３１が取り外されると、そこに空間が生まれ、車いすユニットＯＰ１が現れる。
【００６５】
続いて、介護者は、リフト部３を用いて被介護者Ｐの臀部をゆっくりと下ろす。このとき、介護者は、被介護者Ｐの背中を起こすように補助するか、頭側マットパーツ２１を、傾斜が急になる方向にゆっくりと回転させる。すると、被介護者Ｐは、臀部側中央パーツ部分２２１、すなわち、車いすユニットＯＰ１の座部に座った状態となる（図８）。
【００６６】
続いて、介護者は、各臀部側横パーツ部分２２２を臀部側中央パーツ部分２２１に対して回転させて立ち上がった姿勢とし、各臀部側横パーツ部分２２２の間に架け渡すように棒部材６０を配設し、その両端を挿通部材２２２１に挿通する（図９）。これによって、一対の臀部側横パーツ部分２２２，２２２が立ち上がった姿勢で固定され、車いすユニットＯＰ１の肘置きと手すりが形成される。
【００６７】
続いて、介護者は、被介護者Ｐが座った状態のまま、臀部側マットパーツ２２を前方に引っ張り出し、さらに、後板５４を１８０度回転させて、臀部側中央パーツ部分２２１と略直角をなすようにしてその後辺から立ち上がった姿勢とする（図１０）。これにより、車いすユニットＯＰ１の背凭れが形成される。
【００６８】
以上で、車いすユニットＯＰ１の組立てが完成するとともに、被介護者Ｐの車いすユニットＯＰ１への移乗も完了する。被介護者Ｐは自力で、あるいは、介護者に押されることで、車いすユニットＯＰ１に座って自由に移動することができる。また、介護者が上記と逆の手順を行うことで、被介護者Ｐを再びマット部２の上で横にならせることができる。
【００６９】
＜２−２．トイレユニットＯＰ２＞
次に、トイレユニットＯＰ２の構成について、図１１を参照しながら説明する。図１１は、介護用ベッド１００が備える要素のうち、トイレユニットＯＰ２に係る構成を抽出して示す図である。
【００７０】
トイレユニットＯＰ２は、臀部側マットパーツ２２とその下方に設けられた脚体部５０により構成される。つまり、臀部側マットパーツ２２と脚体部５０は、車いすユニットＯＰ１の構成要素であるとともに、トイレユニットＯＰ２の構成要素でもある。
【００７１】
上記の通り、脚体部５０は、底板５１および４枚の板５２，５２，５３，５４から構成される上部が開口した箱状の部材であり、上部の開口が、臀部側中央パーツ部分２２１によって塞がれている。これら各部５１〜５４，２２１で囲まれる空間Ｑは、トイレユニットＯＰ２において汚物を貯留するための空間を構成する。この空間Ｑは前板５３によって開閉自在に塞がれており、前板５３を横たわった姿勢とすると、該空間Ｑが開放される。この状態で、空間Ｑ内に対するバケツＢの設置あるいは回収を行うことができる。
【００７２】
臀部側中央パーツ部分２２１は、ベース板２２１２と、その上に配設されたクッション部材２２１３ａとが、分離可能に構成されている。また、臀部側中央パーツ部分２２１のベース板２２１２には、上面から下面に貫通した開口Ｒが形成されている。この開口Ｒは、通常はクッション部材２２１３ａによって塞がれているが、これをベース板２２１２から分離させると、現れる。このベース板２２１２は、トイレユニットＯＰ２の便座部を構成する。つまり、臀部側中央パーツ部分２２１（具体的には、そのベース板２２１２）は、マット部２としての役割、車いすユニットＯＰ１の座部としての役割に加えて、トイレユニットＯＰ２の便座部としての役割をも担っている。
【００７３】
もっとも、快適な使用感を実現するためには、ベース板２２１２が便座部として使用される際には、その上に、中央に開口が形成されたリング状のクッション部材（便座クッション部材）２２１３ｂが載置されることが好ましい。この場合は、ベース板２２１２と便座クッション部材２２１３ｂとが、トイレユニットＯＰ２の便座部を構成する。
【００７４】
次に、トイレユニットＯＰ２の使用の態様について、図１１に加え、図１２、図１３を参照しながら説明する。図１２、図１３は、トイレユニットＯＰ２の使用の態様を説明するための図である。
【００７５】
トイレユニットＯＰ２を使用するにあたって、介護者は、まず、マット部２の上で横になっている被介護者Ｐの臀部をリフト部３によって持ち上げる。そして、本体部１の前ブロック体１２を取り外すとともに、足側中央パーツ部分２３１を前方に引っ張り出してこれを取り外す（図５）。足側中央パーツ部分２３１が取り外されると、そこに空間が生まれ、トイレユニットＯＰ２が現れる。
【００７６】
続いて、介護者は、ベース板２２１２の上に配設されているクッション部材２２１３ａを取り去って、ベース板２２１２上に便座クッション部材２２１３ｂを配設する。さらに、前板５３を開いて、ベース板２２１２の下方の空間ＱにバケツＢを設置する。これにより、トイレユニットＯＰ２の便座部が形成されるとともに、汚物を処理するための準備が整う（図１２）。
【００７７】
その後、介護者は、リフト部３を用いて被介護者Ｐの臀部をゆっくりと下ろす。このときも、介護者は、被介護者Ｐの背中を起こすように補助するか、頭側マットパーツ２１を、傾斜が急になる方向にゆっくりと回転させる。すると、被介護者Ｐは、臀部側中央パーツ部分２２１、すなわち、トイレユニットＯＰ２の便座部に座った状態となる（図１３）。したがって、被介護者Ｐはそのまま用を足すことができる。
【００７８】
被介護者Ｐが用を足した後、介護者は、バケツＢを取り出して中の汚物を始末する。その後、介護者が上記と逆の手順を行うことで、被介護者Ｐを再びマット部２の上で横にならせることができる。
【００７９】
＜２−３．バスユニットＯＰ３＞
次に、バスユニットＯＰ３の構成について、図１４、図１５を参照しながら説明する。図１４は、バスユニットＯＰ３としての使用状態を示す図である。図１５は、図１４で隠れている要素を示すために一部を切り欠いて示した図である。
【００８０】
バスユニットＯＰ３は、本体部１およびこれに取り付けられる封止板７１により構成される。
【００８１】
上記の通り、本体部１が備える躯体部１１の内部には、一対の第２仕切り板１１４，１１４が立設されており、封止板７１は、これら一対の第２仕切り板１１４，１１４の前側に取り付けられる。封止板７１の後面には、パッキン等のシール部材が設けられており、封止板７１が取り付けられることによって、一対の第２仕切り板１１４，１１４、第１仕切り板１１３、および、底板１１１で囲まれる空間Ｔが液密に封止される。これら各部７１，１１４，１１４，１１３，１１１によって、バスユニットＯＰ３の浴槽が形成される。つまり、本体部１の一部（具体的には、一対の第２仕切り板１１４，１１４、第１仕切り板１１３、および、底板１１１）は、マット部２を支持する支持構造体としての役割に加えて、バスユニットＯＰ３の浴槽の構成要素としての役割をも担っている。
【００８２】
底板１１１における、空間Ｔに臨む部分には、導入板１３が設けられている（ただし、図１〜図１３では図を簡略化するために導入板１３の図示は省略している）。導入板１３は、前後に細長い長尺平板状の掛け板１３１と、その後端に連なって設けられた平面視にて略正方形状の支持板１３２とからなるものであり、支持板１３２の前縁には、滑り止め用の突起板１３２１が設けられている。また、支持板１３２の後縁付近には、ロープＫを引っ掛けるための係止構造１３２２が形成されている。
【００８３】
導入板１３は、掛け板１３１の前端において、底板１１１の上面に対してヒンジ構造を介して回転自在に連結されており、このヒンジ構造を介して回転されることにより、底板１１１上に略水平に横たわった姿勢（図１５の実線）と、前端を底板１１１に当接させ、後端に近づくにつれて上方に向かう傾斜姿勢（図１５の仮想線）との間で回転することができる。導入板１３が傾斜姿勢とされている状態で、支持板１３２に被介護者Ｐを座らせてから、導入板１３を回転させて横たわった姿勢とすることで、被介護者Ｐを底板１１１上であって仕切り板１１３，１１４，１１４および封止板７１で囲まれる空間Ｔ、すなわち、浴槽内に座らせることができる。つまり、この導入板１３は、被介護者Ｐを浴槽内に導入するための機構を構成する。
【００８４】
底板１１１における、空間Ｔに臨む部分には、排水構造１４が設けられる。また、必要に応じて、第２仕切り板１１４等に、給水構造、手すり、等が設けられてもよい。またここでは、被介護者Ｐの使用感と安全性をさらに向上させるべく、本体部１をバスユニットＯＰ３として使用する際に、その近傍に、手すりユニット７２が設置される。この手すりユニット７２は、本体部１の左右側に対向して立設される一対の支柱板７２１，７２１と、これらの間に架け渡して設けられる棒状の手すり７２２とを備える。ここでは、各支柱板７２１に手すり７２２の端部を挿通させるための貫通孔が縦方向に複数個形成されており、手すり７２２を挿通させる貫通孔を変更することで、手すり７２２の高さを変更できるようになっている。
【００８５】
次に、バスユニットＯＰ３の使用の態様について、図１４、図１５に加え、図１６〜図１９を参照しながら説明する。図１６〜図１９は、バスユニットＯＰ３の使用の態様を説明するための図である。これらの図１６〜図１９においても、図１５と同様、隠れている要素を示すために一部が切り欠いて示されている。
【００８６】
バスユニットＯＰ３を使用するにあたって、介護者は、まず、マット部２の上で横になっている被介護者Ｐの臀部をリフト部３によって持ち上げる。そして、本体部１の前ブロック体１２を取り外すとともに、足側中央パーツ部分２３１を前方に引っ張り出してこれを取り外す（図５）。足側中央パーツ部分２３１が取り外されると、底板１１１および仕切り板１１３，１１４，１１４で囲まれる空間Ｔ、すなわち、バスユニットＯＰ３の浴槽の内部空間に相当する空間が現れる。ただし、この段階では、この空間Ｔに、臀部側マットパーツ２２および脚体部５０（すなわち、車いすユニットＯＰ１およびトイレユニットＯＰ２）が収容された状態となっている。
【００８７】
介護者は、続いて、臀部側マットパーツ２２を前方に引っ張り出してこれを取り出す。具体的には、各臀部側横パーツ部分２２２を立ち上がった姿勢にして、臀部側中央パーツ部分２２１を前方に引っ張り出す（図１０参照）。臀部側中央パーツ部分２２１の下方には、キャスター５５を備える脚体部５０が設けられているので、介護者は小さな負荷で臀部側中央パーツ部分２２１を引っ張り出すことができる。これにより、バスユニットＯＰ３の浴槽の内部空間に相当する空間Ｔから、車いすユニットＯＰ１およびトイレユニットＯＰ２が搬出される。
【００８８】
続いて、介護者は、一対の第２仕切り板１１４，１１４の前側に封止板７１を取り付ける。これによって、底板１１１および仕切り板１１３，１１４，１１４で囲まれる空間Ｔが液密に封止されて、バスユニットＯＰ３の浴槽が形成される（図１６）。さらに介護者は、各足側中央パーツ部分２３１を、左右方向の外側に近づくにつれて上方に向かう傾斜姿勢とする。こうしておくことで、介護用ベッド１００の外にお湯が飛散しにくくなる。また、この際に、各足側中央パーツ部分２３１をビニル等で覆っておくことも好ましい。
【００８９】
浴槽が形成された後の任意のタイミングで、介護者は、浴槽へのお湯張りを開始する。お湯張りは、浴槽に給水構造が設けられている場合は、これを用いて行えばよいし、給水構造が設けられていない場合は、介護用ベッド１００とは別の場所にある給水設備からホース等を用いてお湯を導入することにより行えばよい。
【００９０】
続いて、介護者は、臀部側マットパーツ２２が配置されていたところに、仮の座板７３を形成する。仮の座板７３は、具体的には、長尺平板状の部材を一対の蓋板１１５，１１５の間に架け渡して設けることにより形成される。その後、介護者は、リフト部３を用いて被介護者Ｐの臀部をゆっくりと下ろす。このときも、介護者は、被介護者Ｐの背中を起こすように補助するか、頭側マットパーツ２１を、傾斜が急になる方向にゆっくりと回転させる。すると、被介護者Ｐは、仮の座板７３に座った状態となる（図１７）。この段階で、被介護者は、手すりユニット７２を設置する。
【００９１】
その後、介護者は、底板１１１の上面（すなわち、浴槽の底面）に設けられている導入板１３の後端を持ち上げて、これを傾斜姿勢とする。このとき、導入板１３を、仮の座板７３に座っている被介護者Ｐの足の間を通すようにする。そして、導入板１３の係止構造１３２２にリング状のロープＫを引っ掛けるとともに、このロープＫをリフト部３のバー部材３２３にも引っ掛ける。この状態で回転ハンドル３２２を回して吊りワイヤー３２１を巻き取って、ロープＫを緊張状態とする。これにより、導入板１３が傾斜姿勢で固定される。
【００９２】
続いて、介護者は、仮の座板７３に座っている被介護者Ｐの身体を支えながら被介護者Ｐを前方に滑らせて、仮の座板７３から導入板１３の支持板１３２に移乗させる。移乗が完了すると、被介護者Ｐは支持板１３２に跨がって座った状態となる（図１８）。この移乗の際に、被介護者Ｐは手すりユニット７２の手すり７２２に掴まることができるので、不安感を覚えにくく、安全であり、介護者の負担も低減される。移乗が完了した後、介護者は、仮の座板７３を左右方向に引き抜いて取り除く。
【００９３】
続いて、介護者は、回転ハンドル３２２を回して吊りワイヤー３２１を繰り出して、導入板１３の後端をゆっくりと下降させる。支持板１３２には突起板１３２１が設けられているので、このときに被介護者Ｐが前方に滑りにくい。導入板１３が、底板１１１上に横たわった姿勢とされることで、ここに座っている被介護者Ｐが、底板１１１上であって、仕切り板１１３，１１４，１１４および封止板７１で囲まれる空間Ｔ、すなわち、バスユニットＯＰ３の浴槽内に座った状態となる（図１９）。このようにして、介護者は、難なく被介護者Ｐを浴槽に浸からせることができる。
【００９４】
被介護者Ｐが浴槽に浸かると、介護者は、手すりユニット７２の手すり７２２の高さを低くする。こうすれば、浴槽に浸かった被介護者Ｐは自然な姿勢で手すり７２２に掴まることができるので、不安感を覚えにくく、安全である。
【００９５】
被介護者Ｐが入浴を終えると、底板１１１に設けられた排水構造１４からお湯を排水する。その後、介護者が上記と逆の手順を行うことで、被介護者Ｐを再びマット部２の上で横にならせることができる。
【００９６】
＜３．効果＞
上記の実施形態に係る介護用ベッド１００は、マット部２と、マット部２を支える支持構造体である本体部１と、マット部２の上で横になる被介護者Ｐの臀部を持ち上げるためのリフト部３と、を備える。そして、マット部２が、臀部および頭側のマットパーツ２１，２２と、これから分離可能に構成された足側マットパーツ２３と、を備えており、足側マットパーツ２３（具体的には、足側中央パーツ部分２３１）が分離されることでオプションユニットＯＰ１〜ＯＰ３が現れるように構成されている。
【００９７】
この構成によると、マット部２の上で横になっている被介護者Ｐの臀部をリフト部３によって持ち上げ、この状態で介護者が足側マットパーツ２３（具体的には、足側中央パーツ部分２３１）を取り去ると、オプションユニットＯＰ１〜ＯＰ３が現れる。そうして、リフト部３を用いて被介護者Ｐの臀部を下ろして（あるいは、リフト部３によって被介護者Ｐの臀部が持ち上げられた状態のまま）、オプションユニットＯＰ１〜ＯＰ３を用いて必要な介助を行うことができる。このときに、介護者は、マット部２の上で横になっている被介護者Ｐを抱きかかえて持ち上げる必要がないので、介護者の負担が軽減される。
【００９８】
また、上記の実施形態に係る介護用ベッド１００は、オプションユニットとして、車いすユニットＯＰ１を備える。ここにおいて、臀部側マットパーツ２２が、車いすユニットＯＰ１の座部を構成し、リフト部３によって持ち上げられていた被介護者Ｐの臀部が、リフト部３によって下ろされることによって、被介護者Ｐがこの座部に座った状態になるように構成されている。
【００９９】
この構成によると、リフト部３を用いて被介護者Ｐの臀部を持ち上げ、足側マットパーツ２３を取り去ってから、再びリフト部３を用いて被介護者Ｐの臀部を下ろすと、被介護者Ｐは車いすユニットＯＰ１の座部に座った状態となり、そのまま車いす移動することができる。したがって、移乗介助にかかる負担が低減される。
【０１００】
また、上記の実施形態に係る介護用ベッド１００は、オプションユニットとして、トイレユニットＯＰ２を備える。ここにおいて、臀部側のマットパーツ２２が、トイレユニットＯＰ２の便座部を構成し、リフト部３によって持ち上げられていた被介護者Ｐの臀部が、リフト部３によって下ろされることによって、被介護者Ｐがこの便座部に座った状態になるように構成されている。
【０１０１】
この構成によると、リフト部３を用いて被介護者Ｐの臀部を持ち上げ、足側マットパーツ２３を取り去ってから、再びリフト部３を用いて被介護者Ｐの臀部を下ろすと、被介護者ＰはトイレユニットＯＰ２の便座に座った状態となり、そのまま用を足すことができる。したがって、排泄介助にかかる負担が低減される。
【０１０２】
また、上記の実施形態に係る介護用ベッド１００は、オプションユニットとして、バスユニットＯＰ３を備える。ここにおいて、本体部１の少なくとも一部が、バスユニットＯＰ３の浴槽の少なくとも一部を構成し、リフト部３によって持ち上げられていた被介護者Ｐの臀部が、リフト部３によって下ろされることによって、被介護者Ｐが浴槽の内部に導入されるように構成されている。
【０１０３】
この構成によると、リフト部３を用いて被介護者Ｐの臀部を持ち上げ、足側マットパーツ２３を取り去ってから、再びリフト部３を用いて被介護者Ｐの臀部を下ろすと、被介護者ＰはバスユニットＯＰ３の浴槽の内部に導入され、ここで入浴することができる。したがって、入浴介助にかかる負担が低減される。
【０１０４】
特に、上記の実施形態に係る介護用ベッド１００は、オプションユニットとして、車いすユニットＯＰ１と、トイレユニットＯＰ２と、を備える。ここにおいて、臀部側のマットパーツ２２が、車いすユニットＯＰ１の座部を構成するとともに、トイレユニットＯＰ２の便座部を構成する。そして、リフト部３によって持ち上げられていた被介護者Ｐの臀部が、リフト部３によって下ろされることによって、被介護者Ｐが車いすユニットＯＰ１の座部、あるいは、トイレユニットＯＰ２の便座部に座った状態になるように構成されている。
【０１０５】
この構成によると、リフト部３を用いて被介護者Ｐの臀部を持ち上げ、足側マットパーツ２３を取り去ってから、再びリフト部３を用いて被介護者Ｐの臀部を下ろすと、被介護者Ｐは車いすユニットＯＰ１の座部、あるいは、トイレユニットＯＰ２の便座部に座った状態となる。したがって、移乗介助にかかる負担と排泄介助にかかる負担の両方が低減される。特にここでは、臀部側マットパーツ２２が、車いすユニットＯＰ１の座部を構成するとともに、トイレユニットＯＰ２の便座部車いすユニットの座部を構成するので、構造が簡素化されるとともに部品点数が抑えられる。
【０１０６】
また、上記の実施形態に係る介護用ベッド１００は、オプションユニットとして、バスユニットＯＰ３をさらに備える。ここにおいて、本体部１の少なくとも一部が、バスユニットＯＰ３の浴槽の少なくとも一部を構成する。そして、車いすユニットＯＰ１およびトイレユニットＯＰ２が、この浴槽の内部に相当する空間に収容されており、車いすユニットＯＰ１およびトイレユニットＯＰ２が該空間から搬出されている状態で、リフト部３によって持ち上げられていた被介護者Ｐの臀部が、リフト部３によって下ろされることによって、被介護者Ｐが浴槽の内部に導入されるように構成されている。
【０１０７】
この構成によると、リフト部３を用いて被介護者Ｐの臀部を持ち上げ、足側マットパーツ２３を取り去るとともに、車いすユニットＯＰ１およびトイレユニットＯＰ２を浴槽の内部から搬出してから、再びリフト部３を用いて被介護者Ｐの臀部を下ろすと、被介護者ＰはバスユニットＯＰ３の浴槽の内部に導入される。したがって、移乗介助にかかる負担および排泄介助にかかる負担に加え、入浴介助にかかる負担も低減される。特にここでは、車いすユニットＯＰ１およびトイレユニットＯＰ２が、浴槽の内部に収容されているので、スペース効率を有効に利用して複数種類のオプションユニットを配置することができる。
【０１０８】
また、上記の実施形態に係る介護用ベッド１００は、臀部側マットパーツ２２が、中央パーツ部分（臀部側中央パーツ部分）２２１と、その両側に回転自在に連結された一対の横パーツ部分（臀部側横パーツ部分）２２２と、を備え、臀部側中央パーツ部分２２１が、車いすユニットＯＰ１の座部を構成する。そして、一対の臀部側横パーツ部分２２２，２２２の各々が、臀部側中央パーツ部分２２１に対して立ち上げられた姿勢で固定されることにより、臀部側中央パーツ部分２２１に着座している着座者の肘置きが形成される。
【０１０９】
この構成によると、被介護者Ｐは、車いすユニットＯＰ１の座部に座った際に、肘を肘置きに乗せることで、安全かつ快適な使用感を得ることができる。
【０１１０】
また、上記の実施形態に係る介護用ベッド１００は、臀部側中央パーツ部分２２１の下方に設けられた箱状の脚体部５０、を備え、この脚体部５０の後面を構成する後板５４が、上辺において回転自在に連結されており、この後板５４が、臀部側中央パーツ部分２２１に対して立ち上げられた姿勢で固定されることにより、臀部側中央パーツ部分２２１に着座している着座者の背凭れが形成される。
【０１１１】
この構成によると、被介護者Ｐは、車いすユニットＯＰ１の座部に座った際に、背凭れに背をあずけることで、安全かつ快適な使用感を得ることができる。
【０１１２】
また、上記の実施形態に係る介護用ベッド１００は、バスユニットＯＰ３が、長尺の板状部材であって、浴槽の底面に設けられた、導入板１３を備える。そして、導入板１３が、一端を底面に当接させつつ他端をリフト部３によって持ち上げられている状態で、被介護者Ｐが導入板１３の他端側に跨がって座った状態とされ、この状態からリフト部３によって導入板１３の他端が下ろされることで、被介護者Ｐが浴槽内に座った状態になるように構成されている。
【０１１３】
この構成によると、リフト部３を用いて導入板１３の端部を持ち上げ、被介護者Ｐをここに跨がるように座らせてから、再びリフト部３を用いて導入板１３の端部を下ろすと、被介護者Ｐは浴槽内に座った状態となり、そのまま入浴することができる。したがって、入浴介助にかかる負担が特に有効に低減される。
【０１１４】
＜４．他の実施形態＞
上記の実施形態に係る各オプションユニットＯＰ１〜ＰＯ３の使用態様は、上記に例示したものに限らない。
【０１１５】
例えば、オプションユニットＯＰ１〜ＰＯ３を用いて、被介護者Ｐのおむつ交換を行うことができる。この場合、まず、介護者は、マット部２の上で横になっている被介護者Ｐの臀部を、リフト部３を用いて持ち上げる。そして、本体部１の前ブロック体１２を取り外すとともに、足側中央パーツ部分２３１を前方に引っ張り出してこれを取り外す（図５）。さらに、介護者は、図２０に示されるように、クッション部材２２１３ａを取り除いてベース板２２１２の開口Ｒを出現させるとともに、頭側マットパーツ２１を、後端に近づくにつれて上方に向かう傾斜姿勢とするとともに、一対の臀部側中央パーツ部分２２１，２２１も、左右側の端部に近づくにつれて上方に向かう傾斜姿勢とする。そして、頭側マットパーツ２１および臀部側マットパーツ２２を覆うように非透水性のシート（例えば、ビニルシート）ＳＨを配置する。ただし、このシートＳＨには略中央に予め開口ＳＨＲを設けておき、該開口がベース板２２１２の開口Ｒと重なるように配置する。
【０１１６】
介護者は、このような状態で、被介護者Ｐのおむつを取り外し、バスユニットＯＰ３の浴槽に設けられている給水構造等を用いて、被介護者Ｐの臀部等を洗ってあげてから、新しいおむつを装着させる。このとき、頭側マットパーツ２１および臀部側マットパーツ２２がいずれも傾斜姿勢にあるので、臀部等の洗浄に用いられたお湯等は、シートＳＨに受け止められて開口Ｒに向かって流れ落ち、その下方に設けられているバケツＢに回収される。このようにすれば、おむつ交換の際に被介護者Ｐの臀部を難なく洗うことができるので、被介護者Ｐの身体を清潔な状態に保つことができる。
【０１１７】
また、上記の実施形態に係る介護用ベッド１００に係るバスユニットＯＰ３において、被介護者Ｐを浴槽内に導入するための機構である導入板の構成は、上記に例示したものに限られるものではなく、例えば、図２１〜図２９に示されるものであってもよい。図２１〜図２９は、変形例に係る導入板６の構成およびその使用態様を示す図である。
【０１１８】
この変形例に係る導入板６は、掛け板６１と、掛け板ロック部６２と、支持板６３と、支持板固定部６４と、を備える。
【０１１９】
掛け板６１は、前後に細長い長尺平板状の部材であり、底板１１１上に載置される。掛け板６１は、その左右の位置を底板１１１に設けられたレール部材６０によって規制されている。具体的には、レール部材６０は、互いに直交する長尺片からなる断面Ｌ字状の長尺部材であり、一方の長尺片が、前後に延在して底板１１１上に配設されてここに固定さるとともに、他方の長尺片が、底板１１１から略垂直に立ち上がって前後に延在するように配置される。一方、掛け板６１の前端には、これを左右方向に二分割するようなスリット６１１が形成されており、掛け板６１は、このスリット６１１内にレール部材６０を収容しつつ、底板１１１上に載置される。これにより、掛け板６１は、前後方向の移動を許容されつつ、左右方向には移動できないようにその位置を規制される。
【０１２０】
掛け板ロック部６２は、掛け板６１が前後方向に移動できないように固定するための部材である。掛け板ロック部６２は、具体的には、断面Ｌ字状の長尺部材であり、長尺方向を左右に沿わせて、掛け板６１の上面であってその前端付近に、レール部材６０を跨ぐように、設けられる。図２３等に示されるように、レール部材６０の高さに対して掛け板６１の厚みが小さい場合、掛け板６１と掛け板ロック部６２の間に厚み調整用の板部材６２１が設けられる。掛け板ロック部６２は、一方の長尺片の前辺において、板部材６２１に対して（板部材６２１を設ける必要がない場合は、掛け板６１に対して）、ヒンジ構造を介して回転自在に連結される。掛け板ロック部６２は、このヒンジ構造を介して回転されることにより、板部材６２１上に配置された姿勢（図２１、図２３等）と、板部材６２１の前方に配置されて、他方の長尺片がレール部材６０の途中に設けられた切欠き６０１に係止された姿勢（図２２、図２４等）と、をとることができる。
【０１２１】
支持板６３は、掛け板６１の後端部分に上側から重なるようにして設けられた、平面視にて略矩形状の平板部材である。支持板６３は、その後端において、掛け板６１の後端に対してヒンジ構造を介して回転自在に連結されている。支持板６３の前縁には、ここに座った着座者が掴むことができるハンドル６３１が設けられている。また、支持板６３の後縁付近には、ロープＫを引っ掛けるための係止構造６３２が形成されている。
【０１２２】
支持板固定部６４は、掛け板６１の延在途中に設けられた、平面視にて略矩形状の平板部材である。支持板固定部６４は、その後端において、掛け板６１に対してヒンジ構造を介して回転自在に連結されている。支持板固定部６４の後端面は、所定の角度θで斜めに切り欠かれて傾斜面とされており（図２３）、支持板固定部６４が、掛け板６１に対して回転されてこれとなす角度が該所定の角度θとなると（図２５）、それ以上は後方に回転されないようになっている（以下において、このような姿勢を「支持姿勢」という）。
【０１２３】
次に、導入板６を用いて被介護者Ｐを浴槽内に導入する態様について、引き続き図２１〜図２９を参照しながら説明する。ただし、図２１〜図２９では、図を見やすくするために、被介護者Ｐの図示は省略されている。
【０１２４】
上記の通り、バスユニットＯＰ３を使用するにあたって、介護者は、まず、マット部２の上で横になっている被介護者Ｐの臀部をリフト部３によって持ち上げるとともに、浴槽を形成する（図２１、図２３）。浴槽の形成態様は上述したとおりである。
【０１２５】
続いて、介護者は、底板１１１の上面に設けられている導入板６を後方に引っ張りつつ持ち上げて、掛け板６１の後端を仕切り板１１３の上に引っ掛ける。つまり、導入板６を仕切り板１１３に立て掛ける（図２４）。これにより、導入板６は、その前端を底板１１１に当接させつつ、後端が持ち上げられた傾斜姿勢となる。この状態で、介護者は、掛け板ロック部６２を前方に回転させて、これがレール部材６０に設けられた切欠き６０１に係止された姿勢とする。これにより、掛け板６１が前後に移動しないように固定され、導入板６が傾斜姿勢で固定される。
【０１２６】
続いて、介護者は、支持板６３を後方に回転させて掛け板６１から十分に離間させ、この状態で、支持板固定部６４を回転させて支持姿勢にしてから、支持板６３を前方に回転させて、その前端が支持板固定部６４に支持された状態とする（図２５）。支持板固定部６４は、導入板６が仕切り板１１３に立て掛けられた状態において支持姿勢とされたときに、略垂直に延在するように、後端面の傾斜の角度θが規定されている。また、このときに、略垂直に延在した支持板固定部６４の上端が、支持板６３の後端と略同一の高さに配置されるように、支持板固定部６４の長さｄが規定されている。したがって、支持板６３は、その前端が支持板固定部６４に支持された状態において、略水平姿勢となる。
【０１２７】
続いて、介護者は、リフト部３を用いて被介護者Ｐの臀部をゆっくりと下ろし、被介護者Ｐを支持板６３上に座らせる。このとき、介護者は、被介護者Ｐを支持板６３に跨がるようにして座らせる。このとき、被介護者Ｐの足の間にハンドル６３１が配置され、被介護者Ｐはこのハンドル６３１に掴まることができる。したがって、被介護者Ｐが不安感を覚えにくく、安全である。
【０１２８】
続いて、介護者は、支持板６３の係止構造６３２にリング状のロープＫを引っ掛けるとともに、このロープＫをリフト部３のバー部材３２３にも引っ掛ける。また、介護者は、ハンドル６３１の左右の各端部とバー部材３２３との間に、チェーンＣを架け渡す（図２２、図２６）。
【０１２９】
このチェーンＣは、具体的には例えば、一端においてフック６３３と連結されるとともに、他端において係止治具６３４と連結されたものである。係止治具６３４は、棒状部分の端部に環状部分が設けられた構成を備えており、環状部分にチェーンＣを連結できるようになっている。ここでは、バー部材３２３が、筒状の鉄パイプを芯部材として、その周囲にクッション状の部材が巻回された構成とされており、芯部材の中空部分に係止治具６３４の棒状部分を差し込むことで、チェーンＣの一端をバー部材３２３に対して固定できるようになっている。したがって、介護者は、フック６３３をハンドル６３１の左（あるいは右）の端部に引っ掛けるとともに、係止治具６３４をバー部材３２３の左（あるいは右）の端部から中空部分に差し込むだけで、ハンドル６３１の端部とバー部材３２３との間に簡単にチェーンＣを架け渡すことができる。
【０１３０】
これにより、支持板６３が、ロープＫおよび一対のチェーンＣを介して、バー部材３２３に懸吊された状態となる。このとき、支持板６３は、その四隅の近傍において、バー部材３２３に対してブランコ状に吊り下げられることとなるため、ロープＫおよび一対のチェーンＣの長さを予め適切に調整しておけば、支持板６３を水平姿勢に保つことができる。
【０１３１】
続いて、介護者は、回転ハンドル３２２を回して吊りワイヤー３２１を僅かに巻き取って、支持板６３を少しだけ引き上げて、被介護者Ｐの体重がリフト部３によって支えられた状態とする。これにより、導入板６が、一端を底板１１１に当接させつつ他端をリフト部３によって持ち上げられている状態となり、このような導入板６の他端側に被介護者Ｐが跨がって座った状態となる。この状態で、介護者は、掛け板ロック部６２を後上方に回転させて、掛け板６１のロックを解除する。また、介護者は、支持板固定部６４を前方に回転させて、支持板６３の支持も解除する（図２７）。
【０１３２】
続いて、介護者は、回転ハンドル３２２を回して吊りワイヤー３２１を繰り出して、導入板６の他端（つまりは支持板６３）をゆっくりと下降させる（図２８）。すると、掛け板６１が、底板１１１に対する傾斜角度を小さくするように姿勢変更しつつ、レール部材６０にガイドされつつ前方にスライドする。したがって、支持板６３は、水平姿勢を保ったまま、前下方に斜めに移動する。このとき、掛け板６１の後端を仕切り板１１３に沿って摺動させながら掛け板６１を下降させることも好ましい。こうすれば、下降する支持板６３の姿勢をより安定させることができる。
【０１３３】
掛け板６１が底板１１１上に横たわった姿勢とされることで、支持板６３に座っている被介護者Ｐが、底板１１１上であって、仕切り板１１３，１１４，１１４および封止板７１で囲まれる空間Ｔ、すなわち、バスユニットＯＰ３の浴槽内に座った状態となる（図２９）。このようにして、介護者は、難なく被介護者Ｐを浴槽に浸からせることができる。
【０１３４】
この変形例に係る導入板６によると、上記の実施形態のように被介護者Ｐを仮の座板７３から導入板１３へ移乗させる必要がないので、介護者の負担がさらに軽減されるとともに、被介護者Ｐにかかる負担もさらに軽減される。
【０１３５】
なお、この変形例に係る導入板６においては、掛け板６１が底板１１１に設けられたレール６０に対して前後にスライドする構成としたが、掛け板６１をその前端において底板１１１に対してヒンジ構造を介して回転自在に連結し、支持板６３が掛け板６１に対して前後にスライドする構造としてもよい。
【０１３６】
上記の実施形態に係る介護用ベッド１００は、車いすユニットＯＰ１、トイレユニットＯＰ２、および、バスユニットＯＰ３の３個のオプションユニットを備えるものとしたが、介護用ベッドは、これらのうちの少なくとも１個を備えるものとすることができる。
【０１３７】
また、上記の実施形態や変形例に登場した各要素を、矛盾が生じない範囲で、適宜に組み合わせてもよい。その他の構成も、本考案の趣旨を逸脱しない範囲で種々変形が可能である。
【符号の説明】
【０１３８】
１  本体部
１１１  底板（浴槽の一部）
１１３  第１仕切り板（浴槽の一部）
１１４  第２仕切り板（浴槽の一部）
２  マット部
２１  頭側マットパーツ
２２  臀部側マットパーツ
２２１  臀部側中央パーツ部分（座部、便座部）
２２２  臀部側横パーツ部分（肘置き）
２３  足側マットパーツ
２３１  足側中央パーツ部分
２３２  足側横パーツ部分
３  リフト部
３１  支持枠
３２  ウインチ機構
１３，６  導入板
５０  脚体部
５４  後板（背凭れ）
ＯＰ１  車いすユニット
ＯＰ２  トイレユニット
ＯＰ３  バスユニット
１００    介護用ベッド
Ｐ  被介護者
【図１】
0003223004.tif 000003
【図２】
0003223004.tif 000004
【図３】
0003223004.tif 000005
【図４】
0003223004.tif 000006
【図５】
0003223004.tif 000007
【図６】
0003223004.tif 000008
【図７】
0003223004.tif 000009
【図８】
0003223004.tif 000010
【図９】
0003223004.tif 000011
【図１０】
0003223004.tif 000012
【図１１】
0003223004.tif 000013
【図１２】
0003223004.tif 000014
【図１３】
0003223004.tif 000015
【図１４】
0003223004.tif 000016
【図１５】
0003223004.tif 000017
【図１６】
0003223004.tif 000018
【図１７】
0003223004.tif 000019
【図１８】
0003223004.tif 000020
【図１９】
0003223004.tif 000021
【図２０】
0003223004.tif 000022
【図２１】
0003223004.tif 000023
【図２２】
0003223004.tif 000024
【図２３】
0003223004.tif 000025
【図２４】
0003223004.tif 000026
【図２５】
0003223004.tif 000027
【図２６】
0003223004.tif 000028
【図２７】
0003223004.tif 000029
【図２８】
0003223004.tif 000030
【図２９】
0003223004.tif 000031
【手続補正書】
【提出日】令和1年7月22日(2019.7.22)
【手続補正１】
【補正対象書類名】実用新案登録請求の範囲
【補正対象項目名】全文
【補正方法】変更
【補正の内容】
【実用新案登録請求の範囲】
【請求項１】
マット部と、
前記マット部を支える支持構造体である本体部と、
前記マット部の上で横になる被介護者の臀部を持ち上げるためのリフト部と、
を備え、
前記マット部が、
臀部および頭側のマットパーツと、
これから分離可能に構成された足側のマットパーツと、
を備え、
前記足側のマットパーツが分離されることでオプションユニットが現れるように構成されている、
ことを特徴とする、介護用ベッド。
【請求項２】
請求項１に記載の介護用ベッドであって、
前記オプションユニットとして、車いすユニットを備え、
臀部側のマットパーツが、前記車いすユニットの座部を構成し、
前記リフト部によって持ち上げられていた被介護者の臀部が、前記リフト部によって下ろされることによって、前記被介護者が前記座部に座った状態になるように構成されている、
ことを特徴とする、介護用ベッド。
【請求項３】
請求項１に記載の介護用ベッドであって、
前記オプションユニットとして、トイレユニットを備え、
臀部側のマットパーツが、前記トイレユニットの便座部を構成し、
前記リフト部によって持ち上げられていた被介護者の臀部が、前記リフト部によって下ろされることによって、前記被介護者が前記便座部に座った状態になるように構成されている、
ことを特徴とする、介護用ベッド。
【請求項４】
請求項１から３のいずれかに記載の介護用ベッドであって、
前記オプションユニットとして、バスユニットを備え、
前記本体部の少なくとも一部が、前記バスユニットの浴槽の少なくとも一部を構成し、
前記リフト部によって持ち上げられていた被介護者の臀部が、前記リフト部によって下ろされることによって、前記被介護者が前記浴槽の内部に導入されるように構成されている、
ことを特徴とする、介護用ベッド。
【請求項５】
請求項１に記載の介護用ベッドであって、
前記オプションユニットとして、車いすユニットと、トイレユニットと、を備え、
臀部側のマットパーツが、開口が形成されたベース板とその上に配設されたクッション部材とを備え、前記クッション部材で前記開口が塞がれた状態とすることで前記車いすユニットの座部を構成するとともに、前記クッション部材を前記ベース板から分離させて前記開口を露出させることで前記トイレユニットの便座部を構成し、
前記リフト部によって持ち上げられていた被介護者の臀部が、前記リフト部によって下ろされることによって、前記被介護者が前記座部あるいは前記便座部に座った状態になるように構成されている、
ことを特徴とする、介護用ベッド。
【請求項６】
請求項５に記載の介護用ベッドであって、
前記オプションユニットとして、バスユニットをさらに備え、
前記本体部の少なくとも一部が、前記バスユニットの浴槽の少なくとも一部を構成し、
前記車いすユニットおよび前記トイレユニットが、前記浴槽の内部に相当する空間に収容されており、
前記車いすユニットおよび前記トイレユニットが該空間から搬出されている状態で、前記リフト部によって持ち上げられていた被介護者の臀部が、前記リフト部によって下ろされることによって、前記被介護者が前記浴槽の内部に導入されるように構成されている、
ことを特徴とする、介護用ベッド。
【請求項７】
請求項２または５に記載の介護用ベッドであって、
前記臀部側のマットパーツが、
中央パーツ部分と、
その両側に回転自在に連結された一対の横パーツ部分と、
を備え、
前記中央パーツ部分が、前記座部を構成し、
前記一対の横パーツ部分の各々が、前記中央パーツ部分に対して立ち上げられた姿勢で固定されることにより、前記中央パーツ部分に着座している着座者の肘置きが形成される、
ことを特徴とする、介護用ベッド。
【請求項８】
請求項７に記載の介護用ベッドであって、
前記中央パーツ部分の下方に設けられた箱状の脚体部、
を備え、
前記脚体部の後面を構成する後板が、上辺において回転自在に連結されており、前記後板が、前記中央パーツ部分に対して立ち上げられた姿勢で固定されることにより、前記中央パーツ部分に着座している着座者の背凭れが形成される、
ことを特徴とする、介護用ベッド。
【請求項９】
請求項４または６に記載の介護用ベッドであって、
前記バスユニットが、
長尺の板状部材であって、前記浴槽の底面に設けられた、導入板、
を備え、
前記導入板が、一端を前記底面に当接させつつ他端を前記リフト部によって持ち上げられている状態で、被介護者が前記導入板の前記他端側に跨がって座った状態とされ、この状態から前記リフト部によって前記導入板の前記他端が下ろされることで、前記被介護者が前記浴槽内に座った状態になるように構成されている、
ことを特徴とする、介護用ベッド。
【手続補正２】
【補正対象書類名】明細書
【補正対象項目名】００１８
【補正方法】変更
【補正の内容】
【００１８】
好ましくは、前記介護用ベッドにおいて、
前記オプションユニットとして、車いすユニットと、トイレユニットと、を備え、
臀部側のマットパーツが、開口が形成されたベース板とその上に配設されたクッション部材とを備え、前記クッション部材で前記開口が塞がれた状態とすることで前記車いすユニットの座部を構成するとともに、前記クッション部材を前記ベース板から分離させて前記開口を露出させることで前記トイレユニットの便座部を構成し、
前記リフト部によって持ち上げられていた被介護者の臀部が、前記リフト部によって下ろされることによって、前記被介護者が前記座部あるいは前記便座部に座った状態になるように構成されている、
ことを特徴とする。